(57)【要約】【課題】  圧縮によって失われた音域を復元することができ、原音に近い音声を再現することができる「音声再生機および音声再生方法」を提供すること。【解決手段】  圧縮音声の周波数帯域の上限周波数が、再生サンプリング周波数の下での再生に適する判定周波数に満たないか否かを判定する判定装置２と、前記上限周波数が判定周波数に満たない圧縮音声に対してダウンサンプリング処理を施すダウンサンプリング処理装置３と、ダウンサンプリング処理が施された圧縮音声に対して、圧縮の際に失われた周波数帯域を補間する補間処理をともなうアップサンプリング処理を施すアップサンプリング処理装置４とを備えたこと。【選択図】      図１
2006119524.tif 000002
【特許請求の範囲】
【請求項１】
所定の圧縮フォーマットにしたがって圧縮・符号化された圧縮音声を、所望の再生サンプリング周波数の下で伸長・復号化して再生する音声再生機において、
前記圧縮音声の周波数帯域の上限周波数が、前記再生サンプリング周波数の下での再生に適する所定の判定周波数に満たないか否かを判定する判定装置と、
この判定装置の判定結果に基づき、周波数帯域の上限周波数が前記判定周波数に満たない圧縮音声に対してダウンサンプリング処理を施すダウンサンプリング処理装置と、
このダウンサンプリング処理装置によってダウンサンプリング処理が施された圧縮音声に対して、前記圧縮の際に失われた周波数帯域を補間する補間処理をともなうアップサンプリング処理を施すアップサンプリング処理装置と
を備えたことを特徴とする音声再生機。
【請求項２】
前記判定周波数は、前記再生サンプリング周波数の１／２の周波数であることを特徴とする請求項１に記載の音声再生機。
【請求項３】
前記判定装置は、前記圧縮音声のビットレートが所定の条件を満足するか否かを判定するように形成され、
前記ダウンサンプリング処置装置は、前記周波数帯域の上限周波数が前記判定周波数に満たない圧縮音声であって、前記ビットレートが前記所定の条件を満足する圧縮音声に対して、前記ダウンサンプリング処理を施すように形成されていること
を特徴とする請求項１または請求項２に記載の音声再生機。
【請求項４】
前記判定装置は、前記再生サンプリング周波数に応じて異なる前記所定の条件を満足するビットレートのデータを、当該ビットレートに対応する再生サンプリング周波数のデータと互いに対応関係をもたせた状態で格納したテーブルを備え、前記圧縮音声が前記所定の条件を満足するか否かを前記テーブルを参照して判定するように形成されていることを特徴とする請求項３に記載の音声再生機。
【請求項５】
前記アップサンプリング処理装置は、前記補間処理としてフラクタル補間処理を施すことを特徴とする請求項１乃至請求項４のいずれか１項に記載の音声再生機。
【請求項６】
所定の圧縮フォーマットにしたがって圧縮・符号化された圧縮音声を、所望の再生サンプリング周波数の下で伸長・復号化して再生する音声再生方法において、
前記圧縮音声の周波数帯域の上限周波数が、前記再生サンプリング周波数の下での再生に適する所定の判定周波数に満たない場合には、当該圧縮音声に対してダウンサンプリング処理を施し、
次いで、前記ダウンサンプリング処理を施した圧縮音声に対して、前記圧縮の際に失われた周波数帯域を補間する補間処理をともなうアップサンプリング処理を施し、
これらのダウンサンプリング処理および補間処理をともなうアップサンプリング処理を施した圧縮音声を前記再生サンプリング周波数の下で伸長・復号化して再生すること
を特徴とする音声再生方法。
【請求項７】
前記判定周波数を、前記再生サンプリング周波数の１／２の周波数とすることを特徴とする請求項６に記載の音声再生方法。
【請求項８】
前記圧縮音声のビットレートが所定の条件を満足するか否かを判定し、
前記周波数帯域の上限周波数が前記判定周波数に満たない圧縮音声であって、前記ビットレートが前記所定の条件を満足する圧縮音声に対して、前記ダウンサンプリング処理を施すこと
を特徴とする請求項６または請求項７に記載の音声再生方法。
【請求項９】
前記再生サンプリング周波数に応じて異なる前記所定の条件を満足するビットレートのデータを、当該ビットレートに対応する再生サンプリング周波数のデータと互いに対応関係をもたせた状態で格納したテーブルを用意し、前記圧縮音声が前記所定の条件を満足するか否かを前記テーブルを参照して判定することを特徴とする請求項８に記載の音声再生方法。
【請求項１０】
前記補間処理としてフラクタル補間処理を施すことを特徴とする請求項６乃至請求項９のいずれか１項に記載の音声再生方法。
【発明の詳細な説明】
【技術分野】
【０００１】
本発明は、音声再生機および音声再生方法に係り、特に、圧縮音声を再生するのに好適な音声再生機および音声再生方法に関する。
【背景技術】
【０００２】
従来から、音声再生機においては、ＭＰ３やＷＭＡ等のいわゆる圧縮アルゴリズムを用いることによって、アナログの音声信号に対する圧縮・符号化を行ってデジタルの音声信号である圧縮音声を得るようになっていた。
【０００３】
そして、圧縮・符号化によって得られた圧縮音声は、所望の再生サンプリング周波数の下で伸長・復号化されて再生されるようになっていた。
【０００４】
ここで、図８は、一般的な非圧縮音声（原曲）のデジタル符号化フォーマットを、図９は、当該非圧縮音声のスペクトラムをそれぞれ示したものであり、これら図８、図９に示すように、デジタル化された音声データの記録可能な周波数の上限は、自信号のサンプリング周波数の約１／２であることが知られている。
【０００５】
例えば、ＣＤの場合は、符号化の際のサンプリング周波数が４４．１ｋＨｚであるのに対し、実際にＣＤに記録可能な音楽の周波数の上限は２２．０５ｋＨｚとなる。
【０００６】
【特許文献１】特開２００３−３３３６９８号公報
【発明の開示】
【発明が解決しようとする課題】
【０００７】
しかしながら、ＭＰ３等の圧縮音声においては、特に低ビットレートで符号化された場合には、符号化の際のサンプリング周波数は、図８の場合と同一であっても、図１０、図１１に示すように、周波数帯域の上限がカットされてしまうことがあった。
【０００８】
この結果、圧縮音声は、例えば４４．１ｋＨｚの再生サンプリング周波数の下で再生される場合においても、実際には、サンプリング周波数２２．０５ｋＨｚや３２ｋＨｚ程度の周波数帯域しか含まれていなかった。
【０００９】
すなわち、従来は、ＭＰ３等による符号化によって高音域の信号が失われてしまう結果、原音に近い音声を再現することができないといった問題が生じていた。
【００１０】
そこで、本発明は、このような問題に鑑みなされたものであり、圧縮によって失われた音域を復元することができ、原音に近い音声を再現することができる音声再生機および音声再生方法を提供することを目的とするものである。
【課題を解決するための手段】
【００１１】
前述した目的を達成するため、本発明に係る音声再生機の特徴は、所定の圧縮フォーマットにしたがって圧縮・符号化された圧縮音声を、所望の再生サンプリング周波数の下で伸長・復号化して再生する音声再生機において、前記圧縮音声の周波数帯域の上限周波数が、前記再生サンプリング周波数の下での再生に適する所定の判定周波数に満たないか否かを判定する判定装置と、この判定装置の判定結果に基づき、周波数帯域の上限周波数が前記判定周波数に満たない圧縮音声に対してダウンサンプリング処理を施すダウンサンプリング処理装置と、このダウンサンプリング処理装置によってダウンサンプリング処理が施された圧縮音声に対して、前記圧縮の際に失われた周波数帯域を補間する補間処理をともなうアップサンプリング処理を施すアップサンプリング処理装置とを備えた点にある。
【００１２】
そして、このような構成によれば、周波数帯域の上限周波数が判定周波数に満たない圧縮音声に対してダウンサンプリング処理装置によってダウンサンプリング処理を施した後、さらに、アップサンプリング処理装置によって補間処理をともなうアップサンプリング処理を施すことによって、圧縮の際に失われた周波数帯域が補間された圧縮音声を得ることができ、この圧縮音声を再生サンプリング周波数の下で伸長・復号化して再生することが可能となる。
【００１３】
また、本発明に係る音声再生機の特徴は、判定周波数が、再生サンプリング周波数の１／２の周波数である点にある。
【００１４】
そして、このような構成によれば、周波数帯域の上限周波数が再生サンプリング周波数の１／２に満たない圧縮音声に対してダウンサンプリング処理装置によってダウンサンプリング処理を施した後、さらに、アップサンプリング処理装置によって補間処理をともなうアップサンプリング処理を施すことによって、圧縮の際に失われた周波数帯域が補間された圧縮音声を得ることができ、この圧縮音声を再生サンプリング周波数の下で伸長・復号化して再生することが可能となる。
【００１５】
さらに、本発明に係る音声再生機の特徴は、判定装置は、圧縮音声のビットレートが所定の条件を満足するか否かを判定するように形成され、ダウンサンプリング処置装置は、周波数帯域の上限周波数が判定周波数に満たない圧縮音声であって、前記ビットレートが前記所定の条件を満足する圧縮音声に対して、ダウンサンプリング処理を施すように形成されている点にある。
【００１６】
そして、このような構成によれば、圧縮音声の周波数帯域の上限周波数と、当該圧縮音声のビットレートとに応じて、ダウンサンプリング処理およびその後の補間処理をともなうアップサンプリング処理を施すか否かを選択することが可能となる。
【００１７】
さらにまた、本発明に係る音声再生機の特徴は、判定装置が、再生サンプリング周波数に応じて異なる所定の条件を満足するビットレートのデータを、当該ビットレートに対応する再生サンプリング周波数のデータと互いに対応関係をもたせた状態で格納したテーブルを備え、圧縮音声が前記所定の条件を満足するか否かを前記テーブルを参照して判定するように形成されている点にある。
【００１８】
そして、このような構成によれば、判定装置により、ビットレートが所定の条件を満足するか否かをテーブルを参照することによって簡易かつ迅速に判定することが可能となる。
【００１９】
また、本発明に係る音声再生機の特徴は、アップサンプリング処理装置が、補間処理としてフラクタル補間処理を行う点にある。
【００２０】
そして、このような構成によれば、フラクタル補間処理を施すことによって、圧縮の際に失われた周波数帯域をさらに適切に補間することが可能となる。
【００２１】
さらに、本発明に係る音声再生方法の特徴は、所定の圧縮フォーマットにしたがって圧縮・符号化された圧縮音声を、所望の再生サンプリング周波数の下で伸長・復号化して再生する音声再生方法において、前記圧縮音声の周波数帯域の上限周波数が、前記再生サンプリング周波数の下での再生に適する所定の判定周波数に満たない場合には、当該圧縮音声に対してダウンサンプリング処理を施し、次いで、前記ダウンサンプリング処理を施した圧縮音声に対して、前記圧縮の際に失われた周波数帯域を補間する補間処理をともなうアップサンプリング処理を施し、これらのダウンサンプリング処理および補間処理をともなうアップサンプリング処理を施した圧縮音声を前記再生サンプリング周波数の下で伸長・復号化して再生する点にある。
【００２２】
そして、このような方法によれば、周波数帯域の上限周波数が判定周波数に満たない圧縮音声に対するダウンサンプリング処理および補間処理をともなうアップサンプリング処理を施すことによって、圧縮の際に失われた周波数帯域が補間された圧縮音声を得ることができ、この圧縮音声を再生サンプリング周波数の下で伸長・復号化して再生することが可能となる。
【００２３】
さらにまた、本発明に係る音声再生方法の特徴は、判定周波数を、再生サンプリング周波数の１／２の周波数とする点にある。
【００２４】
そして、このような方法によれば、周波数帯域の上限周波数が再生サンプリング周波数の１／２に満たない圧縮音声に対するダウンサンプリング処理および補間処理をともなうアップサンプリング処理を施すことによって、圧縮の際に失われた周波数帯域が補間された圧縮音声を得ることができ、この圧縮音声を再生サンプリング周波数の下で伸長・復号化して再生することが可能となる。
【００２５】
また、本発明に係る音声再生方法の特徴は、圧縮音声のビットレートが所定の条件を満足するか否かを判定し、周波数帯域の上限周波数が判定周波数に満たない圧縮音声であって、前記ビットレートが前記所定の条件を満足する圧縮音声に対して、ダウンサンプリング処理を施す点にある。
【００２６】
そして、このような方法によれば、圧縮音声の周波数帯域の上限周波数と、当該圧縮音声のビットレートとに応じて、ダウンサンプリング処理およびその後の補間処理をともなうアップサンプリング処理を施すか否かを選択することが可能となる。
【００２７】
さらに、本発明に係る音声再生方法の特徴は、前記再生サンプリング周波数に応じて異なる前記所定の条件を満足するビットレートのデータを、当該ビットレートに対応する再生サンプリング周波数のデータと互いに対応関係をもたせた状態で格納したテーブルを用意し、前記圧縮音声が前記所定の条件を満足するか否かを前記テーブルを参照して判定する点にある。
【００２８】
そして、このような方法によれば、ビットレートが所定の条件を満足するか否かをテーブルを参照することによって簡易かつ迅速に判定することが可能となる。
【００２９】
さらにまた、本発明に係る音声再生方法の特徴は、補間処理としてフラクタル補間処理を施す点にある。
【００３０】
そして、このような方法によれば、フラクタル補間処理を施すことによって、圧縮の際に失われた周波数帯域をさらに適切に補間することが可能となる。
【発明の効果】
【００３１】
本発明に係る音声再生機によれば、周波数帯域の上限周波数が判定周波数に満たない圧縮音声に対してダウンサンプリング処理装置によってダウンサンプリング処理を施した後、さらに、アップサンプリング処理装置によって補間処理をともなうアップサンプリング処理を施すことによって、圧縮の際に失われた周波数帯域が補間された圧縮音声を得ることができ、この圧縮音声を再生サンプリング周波数の下で伸長・復号化して再生することができる結果、圧縮によって失われた音域を復元することができ、原音に近い音声を再現することができる。
【００３２】
また、本発明に係る音声再生機によれば、周波数帯域の上限周波数が再生サンプリング周波数の１／２に満たない圧縮音声に対してダウンサンプリング処理装置によってダウンサンプリング処理を施した後、さらに、アップサンプリング処理装置によって補間処理をともなうアップサンプリング処理を施すことによって、圧縮の際に失われた周波数帯域が補間された圧縮音声を得ることができ、この圧縮音声を再生サンプリング周波数の下で伸長・復号化して再生することができる結果、圧縮によって失われた音域を復元することができ、原音に近い音声を再現することができる。
【００３３】
さらに、本発明に係る音声再生機によれば、圧縮音声の周波数帯域の上限周波数と、当該圧縮音声のビットレートとに応じて、ダウンサンプリング処理およびその後の補間処理をともなうアップサンプリング処理を施すか否かを選択することができる結果、圧縮によって失われた音域をさらに良好に復元することができ、より原音に近い音声を再現することができる。
【００３４】
さらにまた、本発明に係る音声再生機によれば、判定装置により、ビットレートが所定の条件を満足するか否かをテーブルを参照することによって簡易かつ迅速に判定することができる結果、圧縮によって失われた音域をさらに安価にかつ効率的に復元することができる。
【００３５】
また、本発明に係る音声再生機によれば、フラクタル補間処理を施すことによって、圧縮の際に失われた周波数帯域をさらに適切に補間することができる結果、圧縮によって失われた音域をさらに高精度に復元することができ、より原音に近い音声を再現することができる。
【００３６】
さらに、本発明に係る音声再生方法によれば、周波数帯域の上限周波数が判定周波数に満たない圧縮音声に対するダウンサンプリング処理および補間処理をともなうアップサンプリング処理を施すことによって、圧縮の際に失われた周波数帯域が補間された圧縮音声を得ることができ、この圧縮音声を再生サンプリング周波数の下で伸長・復号化して再生することができる結果、圧縮によって失われた音域を復元することができ、原音に近い音声を再現することができる。
【００３７】
さらにまた、本発明に係る音声再生方法によれば、周波数帯域の上限周波数が再生サンプリング周波数の１／２に満たない圧縮音声に対するダウンサンプリング処理および補間処理をともなうアップサンプリング処理を施すことによって、圧縮の際に失われた周波数帯域が補間された圧縮音声を得ることができ、この圧縮音声を再生サンプリング周波数の下で伸長・復号化して再生することができる結果、圧縮によって失われた音域を復元することができ、原音に近い音声を再現することができる。
【００３８】
また、本発明に係る音声再生方法によれば、圧縮音声の周波数帯域の上限周波数と、当該圧縮音声のビットレートとに応じて、ダウンサンプリング処理およびその後の補間処理をともなうアップサンプリング処理を施すか否かを選択することができる結果、圧縮によって失われた音域をさらに良好に復元することができ、より原音に近い音声を再現することができる。
【００３９】
さらに、本発明に係る音声再生方法によれば、ビットレートが所定の条件を満足するか否かをテーブルを参照することによって簡易かつ迅速に判定することができる結果、圧縮によって失われた音域をさらに安価にかつ効率的に復元することができる。
【００４０】
さらにまた、本発明に係る音声再生方法によれば、フラクタル補間処理を施すことによって、圧縮の際に失われた周波数帯域をさらに適切に補間することができる結果、圧縮によって失われた音域をさらに高精度に復元することができ、より原音に近い音声を再現することができる。
【発明を実施するための最良の形態】
【００４１】
以下、本発明に係る音声再生機の実施形態について、図１乃至図７を参照して説明する。
【００４２】
図１に示すように、本実施形態における音声再生機１は、判定装置としての圧縮音声判定部２を有しており、この圧縮音声判定部２には、ＣＤ、放送、通信などを通じて楽音等の圧縮音声が入力されるようになっている。
【００４３】
そして、圧縮音声判定部２は、入力された圧縮音声の圧縮フォーマットに基づいて、圧縮音声の周波数帯域の上限周波数が、所定の再生サンプリング周波数の下での再生に適する判定周波数としての再生サンプリング周波数の１／２の周波数に満たないか否かを判定するようになっている。
【００４４】
さらに、圧縮音声判定部２は、入力された圧縮音声のビットレート（ｂｐｓ）に基づいて、当該ビットレートの値が、再生サンプリング周波数に応じて異なる所定の条件を満足するか否かを判定するようになっている。
【００４５】
なお、前記所定の条件は、前記再生サンプリング波数との関係において好適な値を選択すればよい。例えば、前記再生サンプリング周波数が４４．１ｋＨｚの場合には、前記所定の条件は、９６ｋｂｐｓ以下であることとしてもよい。
【００４６】
また、圧縮音声判定部２に、以下の表１に示すようなテーブルを用意し、このテーブル内に、前記再生サンプリング周波数に応じて異なる前記所定の条件を満足する複数のビットレートのデータを、各ビットレートに対応する再生サンプリング周波数のデータと互いに対応関係をもたせた状態で格納しておくようにしてもよい。
【００４７】
【表１】
2006119524.tif 000003
例えば、表１においては、再生サンプリング周波数が４４．１ｋＨｚの場合における所定の条件を満足するビットレートは、表１の左欄に示すように、３２ｋｂｐｓ、６４ｋｂｐｓおよび９６ｋｂｐｓとなっている。圧縮音声がこれらのビットレートの値をとる場合には、表１の右欄に示すように、圧縮音声に対して後述するＦＩＦアップサンプリング処理（表１右欄におけるＦＩＦ処理）が施されるようになっている。なお、この場合、デジタル的には、表１の右欄に示すように、ＦＩＦ処理を制御するための信号の値が１となる。一方、表１において、１２８ｋｂｐｓ、１６０ｋｂｐｓ等のビットレートは、再生サンプリング周波数が４４．１ｋＨｚの下での所定の条件を満足しないものとなり、この場合には、前記信号の値は０となり、ＦＩＦアップサンプリング処理は施されないことになる。
【００４８】
また、表１においては、再生サンプリング周波数が４８．０ｋＨｚの場合における所定の条件を満足するビットレートは、表１の左欄に示すように、３２ｋｂｐｓ、６４ｋｂｐｓおよび９６ｋｂｐｓとなっている。圧縮音声がこれらのビットレートの値をとる場合には、表１の右欄に示すように、前記信号の値が１となり、圧縮音声に対してＦＩＦアップサンプリング処理（表１右欄におけるＦＩＦ処理）が施されるようになっている。一方、表１において、１２８ｋｂｐｓ、１６０ｋｂｐｓ等のビットレートは、再生サンプリング周波数が４８．０ｋＨｚの下での所定の条件を満足しないものとなり、この場合には、前記信号の値が０となり、ＦＩＦアップサンプリング処理は施されないことになる。
【００４９】
このようにすれば、入力された圧縮音声のビットレートが前記所定の条件を満足するか否かをテーブルを参照することによって簡易かつ迅速に判定することが可能となる。
【００５０】
圧縮音声判定部２の出力側には、ダウンサンプリング処理装置としてのダウンサンプリング処理部３が接続されている。
【００５１】
このダウンサンプリング処理部３には、圧縮音声判定部２から、図２に示すような周波数帯域の上限周波数が再生サンプリング周波数Ｆｓの１／２に満たないフォーマットの圧縮音声であって、かつ、ビットレートが前記所定の条件を満足する圧縮音声であって、ダウンサンプリング処理を要する圧縮音声（以下、「該当圧縮音声」と称する）が入力されるようになっている。
【００５２】
そして、ダウンサンプリング処理部３は、入力された該当圧縮音声に対してダウンサンプリング処理を施し、このダウンサンプリング処理を施した該当圧縮音声を出力するようになっている。
【００５３】
なお、ダウンサンプリング処理は、例えば、図３に示すようにダウンサンプリング処理後のサンプリング周波数Ｆｓ’が再生サンプリング周波数Ｆｓの半分１／２Ｆｓになるようにしてもよい。
【００５４】
ダウンサンプリング処理部３の出力側には、アップサンプリング処理装置としてのＦＩＦ（Fractal Interpolation Functions）アップサンプリング処理部４が接続されている。
【００５５】
このＦＩＦアップサンプリング処理部４には、ダウンサンプリング処理部３から出力されたダウンサンプリング処理後の該当圧縮音声が入力されるようになっている。
【００５６】
そして、ＦＩＦアップサンプリング処理部４は、入力されたダウンサンプリング処理後の該当圧縮音声に対して、図４、図５に示すようなフラクタル補間処理をともなうアップサンプリング処理（以下、「ＦＩＦアップサンプリング処理」と称する）を施すことによって圧縮の際に失われた周波数帯域を補間するようになっている。
【００５７】
フラクタル補間処理は、圧縮音声を例えば図５に示すような波形を有する図形としてとらえ、この圧縮音声の図形が、自己相似性をもつ図形すなわちある単一の線分を適宜縮小、拡大あるいは回転させたものをつなぎ合わせることによって構成されている図形とみなし、当該線分を援用することによって失われた周波数帯域を補間する処理である。このようなフラクタル補間処理は、原音に近い音声を高精度に再現するのに極めて好適な手法である。
【００５８】
したがって、本実施形態においては、圧縮音声に対してダウンサンプリング処理部３によってダウンサンプリング処理を施した後、さらに、ＦＩＦアップサンプリング処理部４によってＦＩＦアップサンプリング処理を施すことによって、圧縮の際に失われた周波数帯域を適切に補間することができる。
【００５９】
なお、ＦＩＦアップサンプリング処理部４には、圧縮音声判定部２から直ちに該当圧縮音声以外のフォーマットの圧縮音声が入力されるようになっている。この圧縮音声としては、例えば、再生サンプリング周波数が４４．１ｋＨｚであるのに対して、２２．０５ｋＨｚのサンプリング周波数で圧縮された圧縮音声のように、周波数帯域の上限周波数が再生サンプリング周波数Ｆｓの１／２に満たないフォーマットの圧縮音声であり、かつ、ダウンサンプリング処理を要しない圧縮音声が該当する。
【００６０】
そして、ＦＩＦアップサンプリング処理部４は、圧縮音声判定部２から直に入力された圧縮音声に対しても、ＦＩＦアップサンプリング処理を施し、このＦＩＦアップサンプリング処理を施した圧縮音声を出力するようになっている。
【００６１】
ＦＩＦアップサンプリング処理部４の出力側には、イコライザ（ＥＱ）やＴＣＲ等からなるポストプロセシング部５が接続されており、このポストプロセシング部５には、ＦＩＦアップサンプリング処理部４から出力されたＦＩＦアップサンプリング処理後の圧縮音声が入力されるようになっている。
【００６２】
そして、ポストプロセシング部５は、入力された圧縮音声に対して、音質や発音タイミング等を調整するポストプロセシング処理（後処理）を施した後に出力するようになっている。
【００６３】
ポストプロセシング部５から出力された圧縮音声は、Ｄ／Ａ等を介して伸長・復号化されてスピーカ（図示せず）から音声出力されるようになっている。
【００６４】
なお、ポストプロセシング部５には、圧縮音声判定部２から直ちに圧縮音声が入力される場合がある。この場合の圧縮音声としては、例えば、圧縮の際に音域がほとんどカットされなかったロスレス圧縮オーディオ等の周波数帯域の上限周波数が再生サンプリング周波数Ｆｓの１／２に達しているとみなすことができる圧縮音声が該当する。
【００６５】
次に、本発明に係る音声再生方法の実施形態について、図６および図７を参照して説明する。
【００６６】
本実施形態における音声再生方法は、前述した音声再生機１を一手段として用いることによって実行することができる。
【００６７】
すなわち、まず、図６のステップ１（ＳＴ１）において、圧縮音声判定部２は、ＣＤ、放送、通信等を通じて圧縮音声を取得する。
【００６８】
次いで、ステップ２（ＳＴ２）において、圧縮音声判定部２により、ステップ１（ＳＴ１）において取得した圧縮音声の周波数帯域の上限周波数が再生サンプリング周波数Ｆｓの１／２に満たないか否かを判定する。
【００６９】
さらに、ステップ２（ＳＴ２）において、圧縮音声判定部２により、ステップ１（ＳＴ１）において取得した圧縮音声のビットレートが、再生サンプリング周波数との関係において所定の条件を満足するか否かを判定する。
【００７０】
そして、ステップ２（ＳＴ２）において、圧縮音声の周波数帯域の上限周波数が再生サンプリング周波数Ｆｓの１／２に満たない場合であって、ビットレートが前記所定の条件を満足する場合には、ステップ３（ＳＴ３）に進み、そうでない場合にはステップ６（ＳＴ６）に進む。
【００７１】
ステップ３（ＳＴ３）においては、圧縮音声判定部２により、圧縮音声の周波数帯域の上限周波数が再生サンプリング周波数Ｆｓの１／２に満たない圧縮音声で、かつ、ビットレートが前記所定の条件を満足する圧縮音声が、ダウンサンプリング処理を要する圧縮音声であるか否かを判定する。
【００７２】
そして、ステップ３（ＳＴ３）において、圧縮音声が、ダウンサンプリング処理を要する圧縮音声（該当圧縮音声）である場合にはステップ４（ＳＴ４）に進み、ダウンサンプリング処理を要しない圧縮音声である場合にはステップ５（ＳＴ５）に進む。
【００７３】
ステップ４（ＳＴ４）においては、ダウンサンプリング処理部３により、圧縮音声に対してダウンサンプリング処理を施した後にステップ５（ＳＴ５）に進む。
【００７４】
次いで、ステップ５（ＳＴ５）においては、ＦＩＦアップサンプリング処理部４によって、圧縮音声に対してＦＩＦアップサンプリング処理を施す。
【００７５】
これによって、図７に示すように、圧縮の際に失われた周波数帯域が適切に補間された圧縮音声が得られる。なお、ＦＩＦアップサンプリング処理によって補間される周波数帯域には、高音域は勿論のこと、大きな信号の近傍で削除されてしまった微小信号に対応する音域も含まれている。さらに、図７のように、原曲にはない高音域を生成することもできる。
【００７６】
最後に、ステップ６（ＳＴ６）においては、圧縮音声を伸長・復号化して再生する。
【００７７】
以上述べたように、本実施形態によれば、圧縮音声に対してＦＩＦアップサンプリング処理を施すことによって圧縮の際に失われた周波数帯域が補間された圧縮音声を得ることができる結果、圧縮によって失われた音域を高精度に復元することができ、圧縮前の原音に近い高音質の音声を再現することができる。
【００７８】
なお、本発明は、前述した実施の形態に限定されるものではなく、必要に応じて種々の変更が可能である。
【００７９】
例えば、フラクタル補間処理以外の手法によって、圧縮の際に失われた周波数帯域を補間する補間処理を施すようにしてもよい。
【００８０】
また、前記ＦＩＦアップサンプリング処理をＣＤ等の非圧縮ソースに応用し、原曲にはない高音域を生成することによって、ＤＶＤオーディオ並の高音質化を実現することも可能である。
【図面の簡単な説明】
【００８１】
【図１】本発明に係る音声再生機の実施形態を示すブロック図
【図２】本発明に係る音声再生機の実施形態において、該当圧縮音声のデジタル符号化フォーマットを示す説明図
【図３】本発明に係る音声再生機の実施形態においてダウンサンプリング後の該当圧縮音声のデジタル符号化フォーマットを示す説明図
【図４】本発明に係る音声再生機の実施形態においてＦＩＦアップサンプリング処理を施した該当圧縮音声のデジタル符号化フォーマットを示す説明図
【図５】本発明に係る音声再生機の実施形態において、フラクタル補間処理を示す概念図
【図６】本発明に係る音声再生方法の実施形態を示すフローチャート
【図７】本発明に係る音声再生方法の実施形態において、圧縮の際に失われた周波数帯域が補間された圧縮音声のスペクトラムを示す図
【図８】一般的な非圧縮音声のデジタル符号化フォーマットを示す説明図
【図９】一般的な非圧縮音声のスペクトラムを示す図
【図１０】周波数帯域の上限がカットされた圧縮音声のデジタル符号化フォーマットを示す説明図
【図１１】周波数帯域の上限がカットされた圧縮音声のスペクトラムを示す図
【符号の説明】
【００８２】
１  音声再生機
２  圧縮音声判定部
３  ダウンサンプリング処理部
４  ＦＩＦアップサンプリング処理部
【図１】
2006119524.tif 000004
【図２】
2006119524.tif 000005
【図３】
2006119524.tif 000006
【図４】
2006119524.tif 000007
【図５】
2006119524.tif 000008
【図６】
2006119524.tif 000009
【図７】
2006119524.tif 000010
【図８】
2006119524.tif 000011
【図９】
2006119524.tif 000012
【図１０】
2006119524.tif 000013
【図１１】
2006119524.tif 000014